(57)【要約】【課題】  設備機器同士を接続する接続線が複数の管理図面にまたがる場合において、接続上の矛盾やデータ上の矛盾を生じさせることなく、かつ図面の見易さを損なわずに各設備機器の設備データを分かり易く管理することができる方法を提供する。【解決手段】  管理図面上に作成する各設備機器の図形について、他の管理図面上に作成された設備機器の実体に対応する図形に対して接続される図形については入力手段からのユーザ操作に応じて前記実体に連携する特有の図形を作成し、当該特有の図形に対して同一管理図面上の他の設備機器の図形を接続線で接続するステップと、前記特有の図形に対応する設備データベースのレコードに、当該特有の図形が連携する実体の図形に対応するレコードに登録された設備機器の識別情報を登録するステップとを備える。【選択図】      図２
2006338134.tif 000002
【特許請求の範囲】
【請求項１】
接続関係を有する複数の設備機器をそれぞれの設備機器に対応した図形によって接続した管理図面を作成し、かつ設備データベースのそれぞれの図形に対応するレコードに各設備機器の識別番号と設備機器の属性を表す設備データを登録して管理する設備データの管理方法であって、
前記管理図面上に作成する各設備機器の図形について、他の管理図面上に作成された設備機器の実体に対応する図形に対して接続される図形については入力手段からのユーザ操作に従って前記実体に連携する特有の図形を作成し、当該特有の図形に対して同一管理図面上の他の設備機器の図形を接続線で接続する第１のステップと、
前記特有の図形に対応する設備データベースのレコードに、当該特有の図形が連携する実体の図形に対応するレコードに登録された設備機器の識別情報を登録する第２のステップと、
を備えることを特徴とする設備データの管理方法。
【請求項２】
前記実体に対応する図形および特有の図形が、複数の接続端子を有する図形である場合、これらの図形の複数の接続端子のうち他の設備機器の図形への接続線が接続された接続端子については既に接続済みであることを示す情報を前記設備データベースの各図形に対応するレコードに登録する第３のステップを備えることを特徴とする請求項１に記載の設備データの管理方法。
【請求項３】
前記設備データベースに登録された設備データに基づき各設備機器の図形を再現して表示させるユーザ指示を受付けた場合に前記設備データベースの各設備機器の図形に対応するレコードに登録された設備データを取得する第４のステップと、
取得した設備データ中に設備機器の実体を示す図形のレコードに登録された設備機器の識別情報が登録されていたならば、当該識別情報により前記実体を示す図形のレコードに登録された設備機器の設備データを取得し、その設備データに基づき実体に対応する図形と同一形状の特有の図形を再現して表示する第５のステップを備えることを特徴とする請求項１または２に記載の設備データの管理方法。
【請求項４】
接続関係を有する複数の設備機器をそれぞれの設備機器に対応した図形によって接続した管理図面を作成し、かつ設備データベースのそれぞれの図形に対応するレコードに各設備機器の識別番号と設備機器の属性を表す設備データを登録して管理する設備データの管理システムであって、
前記管理図面上に作成する各設備機器の図形について、他の管理図面上に作成された設備機器の実体に対応する図形に対して接続される図形については入力手段からのユーザ操作に従って前記実体に連携する特有の図形を作成し、当該特有の図形に対して同一管理図面上の他の設備機器の図形を接続線で接続する第１の手段と、
前記特有の図形に対応する設備データベースのレコードに、当該特有の図形が連携する実体の図形に対応するレコードに登録された設備機器の識別情報を登録する第２の手段と、
を備えることを特徴とする設備データの管理システム。
【請求項５】
前記実体に対応する図形および特有の図形が、複数の接続端子を有する図形である場合、これらの図形の複数の接続端子のうち他の設備機器の図形への接続線が接続された接続端子については既に接続済みであることを示す情報を前記設備データベースの各図形に対応するレコードに登録する第３の手段を備えることを特徴とする請求項４に記載の設備データの管理システム。
【請求項６】
前記設備データベースに登録された設備データに基づき各設備機器の図形を再現して表示させるユーザ指示を受付けた場合に前記設備データベースの各設備機器の図形に対応するレコードに登録された設備データを取得する第４の手段と、
取得した設備データ中に設備機器の実体を示す図形のレコードに登録された設備機器の識別情報が登録されていたならば、当該識別情報により前記実体を示す図形のレコードに登録された設備機器の設備データを取得し、その設備データに基づき実体に対応する図形と同一形状の特有の図形を再現して表示する第５の手段を備えることを特徴とする請求項４または５に記載の設備データの管理システム。
【発明の詳細な説明】
【技術分野】
【０００１】
本発明は、接続関係を有する複数の設備機器をそれぞれの設備機器に対応した図形によって接続した管理図面を作成し、かつ設備データベースのそれぞれの図形に対応するレコードに各設備機器の属性を表す設備データを格納して管理する設備データの管理方法およびシステムに関するものである。
【背景技術】
【０００２】
電気、機械、情報設備などの様々な分野の設備機器を管理する場合、管理対象の設備機器を利用者に分かり易いように表示する機能が必要とされる。最も簡易な方法としては、図１１に例示するように、各設備機器の名称や機能、特性などのパラメータにより構成される設備データを表形式の帳票として作成し、これをそのまま表示する方法である。
これに対し、図１２の例示するように、ＧＵＩ（グラフィカルユーザインターフェイス）を利用し、管理図面上で設備機器をそれぞれに対応した図形で表現し、かつ各設備機器の名称や機能などの属性を表す設備データをデータベースに格納し、管理図面上の図形と設備データを連携させることにより設備機器を管理する手法が開発されている。
図１２に示す管理図面は、Ａ系統の電力設備である負荷１３１に対する電力供給系統を示したものであり、発電機１３２、母線１３３，昇圧変圧器１３４、送電線１３５などの各設備機器にそれぞれ対応する図形を管理図面上に配置し、これらの図形を各設備機器の実際の接続状態に応じて実線で接続したものである。
各設備機器に対応する図形は、グラフィカルユーザインターフェイスを用いた管理図作成機能が提供する図形のテンプレートを表示画面上に順次配置させたものである。このような作図機能については、公知であるので詳細な説明は省略する。
図１２のような管理図を作成する管理図作成機能においては、管理図の作成を行いながら、各設備機器の属性で構成される設備データをデータベースに登録する機能を付加したものがある。
【０００３】
図１３は、図１２の管理図上に配置された各設備機器の属性である設備データを設備データの入力画面から受付け、それをデータベースに登録した例を示すものであり、各設備機器毎に設備ＩＤが割当てられ、その設備ＩＤ毎のレコードに、設備名称、パラメータ１，２、図形属性、図面位置などのデータが登録される。なお、データベースには、図１３に示すデータ以外に、各設備機器の接続端子を接続する接続線の端点位置や接続先のデータなどが登録され、この登録データから図１２の管理図面を再現可能になっている。
このように、グラフィカルに設備機器を管理する機能は、設備データをユーザに対して理解し易くするだけでなく、管理図面の表示・出力や管理図面と設備データとを組み合わせて表示することを可能にしている。
一方、従来において、送電線や電話回線、上下水道などの設備機器の属性情報の入力を支援するシステムとして下記の特許文献１に開示されたものがある。
【特許文献１】特開平１１−３９３６６号公報
【０００４】
ところで、複雑な設備システムにおいては、各設備機器の位置的な関係、あるいは機能上の関係を利用者に分かり易く表示するために、階層的な図面構成、またはシステム全体を複数の管理図面に分割して作図する場合が多い。従って、階層構造の管理図面または複数の管理図面にまたがって１つの設備システムを作図した場合には、他の管理図面上の設備機器と接続する接続線を描画することが必要になる。
ところが、他の管理図面上の設備機器と接続する接続線を描画する場合において、その接続線の両端の接続端子のうち他の管理図面上の設備機器に接続される接続端子を、他の管理図面上の設備機器の接続端子に直接接続するように描画することはできない。直接接続するように描画するようにした場合、他の管理図面上に配置されている接続対象の設備機器を作図中の管理図面上に配置することが必要になる。
しかし、図１２で説明した管理手法においては、各設備機器の図形とその実体の配置関係とが適合するように管理図上で明示的に管理するために、管理図面上に配置される設備と実際の設備とは１対１に対応するようにする必要がある。
従って、他の管理図面上に配置されている接続対象の設備機器については、現在作図中の管理図面上に配置することができない。もしも、同一の設備機器を複数の管理図面に配置した場合には、同一の設備機器が複数個配置されていることになり、接続上の矛盾やデータ上の矛盾が生じてしまう。
【０００５】
そこで、従来においては、他の管理図面上の設備機器と接続するための架空の接続オブジェクトを配置し、この接続オブジェクトを介して間接的に他の管理図面上の設備機器に接続するという手法を採用している。
例えば、図１４の管理図面１４１，１４２に示すように、２つの電力系統ＡのうちＡ系統の負荷１４３に対する電力供給をＢ系統の電力設備からバックアップする構成にした場合、架空の接続オブジェクト１４４，１４５を配置し、これらの接続オブジェクト１４４，１４５に接続先の情報を保持させ、この接続情報によって互いの設備機器を間接的に接続するようにしている。
【発明の開示】
【発明が解決しようとする課題】
【０００６】
しかしながら、他の管理図面上の設備機器と接続するための架空の接続オブジェクトを配置し、この接続オブジェクトを介して間接的に他の管理図面上の設備機器に接続するという手法を採用した場合、他の管理図面の設備機器との連携関係が複雑なシステム構成にあっては、架空の接続オブジェクトやそれと接続する接続線が増加し、図面の見易さが損なわれてしまうと同時に、接続情報量が増大し、データベースの大容量化によるコスト増が発生するという問題点がある。
また、他の管理図面上の設備機器と連携関係が強い設備機器については、図面の見易さを向上させるために、それぞれの設備図面上に配置しようとしても同一設備機器が複数箇所に存在するといったデータ上の矛盾が生じ、複数の設備図面上に配置できないという問題がある。
上記特許文献１においては、接続線が複数の階層の管理図面にまたがる場合において、接続上の矛盾やデータ上の矛盾を生じさせることなく、かつ図面の見易さを損なうことなく設備データを管理する方策については開示されていない。
【０００７】
本発明の目的は、設備機器同士を接続する接続線が複数の階層の管理図面、または複数の管理図面にまたがる場合において、接続上の矛盾やデータ上の矛盾を生じさせることなく、かつ図面の見易さを損なわずに各設備機器の設備データを分かり易く管理することができる管理方法およびシステムを提供することにある。
【課題を解決するための手段】
【０００８】
上記目的を達成するために、本発明に係る設備機器の管理方法は、接続関係を有する複数の設備機器をそれぞれの設備機器に対応した図形によって接続した管理図面を作成し、かつ設備データベースのそれぞれの図形に対応するレコードに各設備機器の識別番号と設備機器の属性を表す設備データを登録して管理する設備データの管理方法であって、
前記管理図面上に作成する各設備機器の図形について、他の管理図面上に作成された設備機器の実体に対応する図形に対して接続される図形については入力手段からのユーザ操作に従って前記実体に連携する特有の図形を作成し、当該特有の図形に対して同一管理図面上の他の設備機器の図形を接続線で接続する第１のステップと、前記特有の図形に対応する設備データベースのレコードに、当該特有の図形が連携する実体の図形に対応するレコードに登録された設備機器の識別情報を登録する第２のステップとを備えることを特徴とする。
また、前記実体に対応する図形および特有の図形が、複数の接続端子を有する図形である場合、これらの図形の複数の接続端子のうち他の設備機器の図形への接続線が接続された接続端子については既に接続済みであることを示す情報を前記設備データベースの各図形に対応するレコードに登録する第３のステップを備えることを特徴とする。
また、前記設備データベースに登録された設備データに基づき各設備機器の図形を再現して表示させるユーザ指示を受付けた場合に前記設備データベースの各設備機器の図形に対応するレコードに登録された設備データを取得する第４のステップと、取得した設備データ中に設備機器の実体を示す図形のレコードに登録された設備機器の識別情報が登録されていたならば、当該識別情報により前記実体を示す図形のレコードに登録された設備機器の設備データを取得し、その設備データに基づき実体に対応する図形と同一形状の特有の図形を再現して表示する第５のステップを備えることを特徴とする。
【０００９】
本発明に係る設備データの管理システムは、接続関係を有する複数の設備機器をそれぞれの設備機器に対応した図形によって接続した管理図面を作成し、かつ設備データベースのそれぞれの図形に対応するレコードに各設備機器の識別番号と設備機器の属性を表す設備データを登録して管理する設備データの管理システムであって、
前記管理図面上に作成する各設備機器の図形について、他の管理図面上に作成された設備機器の実体に対応する図形に対して接続される図形については入力手段からのユーザ操作に従って前記実体に連携する特有の図形を作成し、当該特有の図形に対して同一管理図面上の他の設備機器の図形を接続線で接続する第１の手段と、前記特有の図形に対応する設備データベースのレコードに、当該特有の図形が連携する実体の図形に対応するレコードに登録された設備機器の識別情報を登録する第２の手段とを備えることを特徴とする。
また、前記実体に対応する図形および特有の図形が、複数の接続端子を有する図形である場合、これらの図形の複数の接続端子のうち他の設備機器の図形への接続線が接続された接続端子については既に接続済みであることを示す情報を前記設備データベースの各図形に対応するレコードに登録する第３の手段を備えることを特徴とする。
また、前記設備データベースに登録された設備データに基づき各設備機器の図形を再現して表示させるユーザ指示を受付けた場合に前記設備データベースの各設備機器の図形に対応するレコードに登録された設備データを取得する第４の手段と、取得した設備データ中に設備機器の実体を示す図形のレコードに登録された設備機器の識別情報が登録されていたならば、当該識別情報により前記実体を示す図形のレコードに登録された設備機器の設備データを取得し、その設備データに基づき実体に対応する図形と同一形状の特有の図形を再現して表示する第５の手段を備えることを特徴とする。
【発明の効果】
【００１０】
本発明によれば、複数の管理図面に同じ設備機器を配置する一方で、実体が存在しない設備機器の設備データについては、実体として存在する設備機器の属性である設備データを参照する識別情報を付記し、その識別情報に対応する設備データを参照するように構成したため、設備機器同士を接続する接続線が複数の階層の管理図面、または複数の管理図面にまたがる場合において、接続上の矛盾やデータ上の矛盾を生じさせることなく各設備機器の設備データを管理することが可能になり、利用者に理解し易い作図・管理図面の表示・出力が可能となる。
また、複数の管理図面にまたがる接続線を直接的あるいは間接的に描画する代わりに、境界点にある設備機器をそれぞれの管理図面に配置することで代用可能となるため、接続線を整理することが可能となり、管理図面の見易さが向上し、データ量も低減される。
さらに、管理図面は、各設備機器を表す図形に添えて当該設備の状態、パラメータなどを表示し、設備全体の大まかな情報を把握するために利用されることがある。この際にも、それぞれの部分系統を把握するために必要な全ての設備機器を各管理図面上に配置可能となるため、情報表示機能としても優れた効果を発揮する。
【発明を実施するための最良の形態】
【００１１】
以下、本発明を実施する場合の一形態を図面を参照して具体的に説明する。
図１は、本発明に係る設備機器の管理システムの実施の形態を示すシステム構成図である。
本実施形態における設備機器の管理システムは、図１に示すように、計算機１とその周辺機器である表示装置２、印刷装置３、マウスやキーボードから成る入力装置４で構成されている。
計算機１は、中央演算処理装置１０と記憶装置１１を備え、記憶装置１１には設備データ管理プログラム１２が格納され、また設備データを格納する設備データベース１３が設けられている。
なお、設備データベース１３は外部記憶装置に設けられることもある。
図２は、設備データ管理プログラム１２を用いて作成される電力系統における管理図面の一例を示す図であり、発電機や母線、昇圧変圧器、送電線、負荷などの各設備機器を表す図形を配置し、これらの図形を設備機器の接続状態に応じて実線で接続することによって１つの管理図面を構成している。
図２に例示する２頁分の管理図面２０と３０は、管理図面２０に作成されたＡ系統の負荷２０１に対する電力供給を、管理図面２１に作成したＢ系統の設備でバックアップする構成の管理図面を示すものである。
なお、本発明においては、設備機器を図２のような図形で表わすようにしているが、それぞれの設備機器を特定可能な記号、またはマークで表わすように構成することができる。
【００１２】
本実施形態において、Ｂ系統の管理図面２１における送電線４１を示す図形２１１の出力側端子２１１ａを、Ａ系統における単母線（３）の図形２０１の入力側端子２０１ａに接続し、負荷２０２をバックアップする構成の管理図面を作成する場合、Ｂ系統の管理図面２１上に、Ａ系統の単母線（３）を表わす図形２０１に対して連携する特有の図形２１２を配置し、この特有の図形２１２の接続端子２１２ｃと送電線４１を示す図形２１１の出力側端子２１２ａを接続する。
この特有の図形２１２の他の接続端子２１２ｂ、２１２ｃは、実体に対応する図形２０１の接続端子２０１ｂ、２０１ｃに対応しているが、実体に対応する図形２０１の接続端子２０１ｂ、２０１ｃがＡ系統の負荷２０２と送電線２０３に接続済みであるため、接続済みであることを特定の色あるいは網掛けパターンなどで明示する。これにより、実体への連携を示す特有の図形２１２を配置した場合でも、接続上の矛盾をなくすことができるようになる。
特有の図形２１２を実体に対応する図形２０１に連携させるには、特有の図形２１２に対応した設備データベース１３のレコードに、連携元のＡ系統の単母線（３）の図形２０１のレコードに登録した設備データを参照するように連携関係情報を保持させる。
【００１３】
以下、２つの管理図面２０と２１において、Ａ系統の単母線（３）を表わす図形２０１に対して連携する特有の図形２１２を配置し、この特有の図形２１２に対して同一管理図面上の他の設備機器の図形を接続し、それらの設備機器に対応する図形のレコードに設備データを登録する手順について詳細に説明する。
まず、Ａ系統とＢ系統の管理図面２０と２１を作成する場合、設備データ管理プログラム１２を起動し、図３（ａ）に示すような管理図新規作成画面３０を表示装置２に表示させ、Ａ系統とＢ系統の管理図面の枠組み３０１，３０２を作成する。
次に、Ａ系統の枠組み３０１を選択し、Ａ系統に含まれる複数の設備機器の図形を予め用意された図形テンプレートを使用して順次配置し、それぞれを接続線によって接続する。
図形テンプレートには、図３（ｂ）に示すように、各設備機器の名称の一覧が用意されており、必要な名称をマウス操作によって選択すると、その設備機器名称に対応した図形がプルダウン表示される。本実施形態においては、各設備機器ごとに、実体を表す図形が用意されている。例えば、単母線については実体を表す図形３０３が用意されている。単母線を管理図面上に配置する場合には、図形３０３を選択して図面上の目的位置に配置する。
【００１４】
図形を配置すると、設備データ管理プログラム１２は、配置された図形に対して固有の設備ＩＤを生成し、設備データベース１３に当該設備ＩＤの設備機器の属性を登録するためのレコードを確保する。そして、そのレコードに対して登録する設備機器の属性である設備名称、特性や機能などの属性を入力する設備データ入力画面を開き、これらの属性の各データをユーザに入力させる。
必要な属性のデータが入力装置４から入力されたならば、その属性データを設備機器ＩＤのレコードに登録する。このとき、配置した図形の属性、管理図面上でのｘｙ座標位置を管理図新規作成画面３０から取得して自動登録する。さらに接続端子を他の設備機器の接続端子と接続する接続線をユーザが描画した場合には、その接続端子の接続先の設備名称と接続線の端点座標位置や接続先の情報を管理図新規作成画面３０から取得して自動登録する。
ここで、図形を画面上に配置し、その配置位置や接続先を登録することについては、公知の技術を用いて行うものであるため、その詳細な説明は省略する。
同様の操作を各設備機器について繰り返し行い、図２のＡ系統、Ｂ系統の管理図面２０、２１を作成する。
【００１５】
これにより、設備データベース１３には図４に示すような設備データが登録される。図４で例示する設備データベース１３には、設備ＩＤ４０１ごとに、属性データである設備名称４０２、パラメータ（１）４０３、パラメータ（２）４０４、図形属性４０５、図面位置４０６、端子接続先４０７、設備連携情報４０８を登録した例を示している。この他に、接続線の端点座標位置などが登録されるが、図４においては省略している。
ここで、設備連携情報４０８とは、他の管理図面の設備機器への連携を示す特有の図形がいずれのレコードの設備データを参照する関係にあるかを示すものである。
Ａ系統の管理図面２０の単母線（３）の図形２０１に連携する特有の図形２１２を配置する場合、実体として存在する単母線（３）の図形２０１の設備ＩＤを入力装置４から入力する。すると、設備データ管理プログラム１２が、当該図形ＩＤのレコードに登録されている設備名称、図形属性を設備データベース１３から検索し、図形属性で示される単母線（３）の図形２０１と同じ形状の図形を図形テンプレートから取得し、Ｂ系統の管理図面２１内に描画する。この場合、図形２０１への連携を示す特有の図形であることを明示するために、特有の色、または特有の網掛けパターンを付けて描画する。図２においては、特有の図形２１２を縦じまパターンで明示した例を示している。
【００１６】
設備データ管理プログラム１２は、目的の位置に配置された特有の図形２１２に対して固有の設備ＩＤを生成する。ここでは、設備ＩＤ＝１５を生成したものとする。そして、その設備ＩＤ＝１５の設備機器の属性を登録するためのレコードを設備データベース１３に確保し、設備名称＝単母線を登録し、さらに設備連携情報４０８として、当該図形２１２がいずれのレコードの属性を参照する関係にあるかを示す情報を登録する。
図２の管理図面２０，２１においては、Ａ系統に実体として存在する単母線（３）の図形２０１の属性が設備ＩＤ＝５のレコードに登録されていることから、この図形２０１へ連携するＢ系統の管理図面２１内の設備ＩＤ＝１５の図形２１２の設備データについては設備ＩＤ＝５のレコードを参照するように設備ＩＤ＝５が登録される。
この後、ユーザが、描画された図形を目的の位置に移動して配置した後、特有の図形２１２の接続端子の１つを送電線４１の出力側の接続端子２１１ａに接続する操作を行う。設備データ管理プログラム１２はその接続端子の接続先の情報と図面位置とを設備データベース１３に登録する。
【００１７】
ここで、特有の図形２１２の３つの接続端子のうち送電線４１への接続端子を除く接続端子２１２ａ、２１２ｂについては、実体に対応する図形２０１で既に接続済みであることを明示するために、「接続済み」として登録する。また、連携元であるＡ系統の図形２０１の接続端子２０１ａについてもＢ系統の送電線４１に接続されているので「接続済み」として登録する。
この接続済みの接続端子については、特有の色などで区別して表示する。
設備ＩＤ＝１５のレコードには、単母線（３）の設備名称やパラメータ（１）、（２）、図形属性は登録されない。登録されるのは、図面位置、端子接続先、接続線の端点座標位置の情報など、Ｂ系統の管理図面内に特有の図形２１２を再現して表示するのに必要な情報のみである。
【００１８】
以上により、実体としては存在しない単母線（３）の特有の図形２１２がＢ系統の管理図面上に作図され、その特有の図形２１２に対してＢ系統の他の設備機器の図形を接続することができるようになる。
なお、設備ＩＤ＝１５のレコードには、単母線（３）のパラメータ（１）、（２）などは登録しないようにしたが、データベース１３の記憶空間に余裕がある場合には図５の例のように登録するようにしても構わない。
【００１９】
図６は、設備機器の管理図面を新規に作成する処理を示すフローチャートである。
設備データ管理プログラム１２はユーザ操作によって設備機器の管理図面を新規に作成することが指示された場合、前述したように図２に例示したような管理図新規作成画面３０を表示装置２に表示し、各設備機器を表す図形の選択指示を待つ。
実体を表す設備機器の図形を管理図面上に配置する操作が行われた場合（ステップ６０１）、図３（ｂ）に示したような図形テンプレートを表示画面に表示し、図形テンプレート中のいずれかの図形の選択操作によって選択された図形の設備ＩＤを生成し、その設備ＩＤのレコードを設備データベース１３中に確保し、その後に入力された当該設備機器の属性を登録する（ステップ６０２、６０３）。
実体への連携を表す特有の図形を配置する操作が行われた場合、実体を表す設備機器の設備ＩＤをユーザに入力するように促し、設備ＩＤが入力されたならば（ステップ６０４、６０５）、当該設備ＩＤのレコードに登録されている設備名称、図形属性を設備データベース１３から検索し、図形属性で示される設備機器の図形と同じ形状の図形を図形テンプレートから取得し、表示画面中の管理図面内に描画する。この場合、実体を表す図形への連携を示す特有の図形であることを明示するために、特有の色、または特有の網掛けパターンを付けて描画する。
【００２０】
設備データ管理プログラム１２は、目的の位置に配置された特有の図形に対して固有の設備ＩＤを生成し、その設備ＩＤの設備機器の属性を登録するためのレコードを設備データベース１３に確保し、設備連携情報として、当該図形がいずれのレコードの属性を参照する関係にあるかを示す設備連係情報を登録する。
以上の操作を、管理図面上に配置する設備機器の図形の数に相当する回数だけ繰り返すことにより、図２に示した１つの管理図面が作成される。
【００２１】
図７は、作成した管理図面上で属性や接続先などを変更することが必要になった設備機器の図形の編集処理を示すフローチャートである。
設備データベース１３に登録した属性等を変更することが必要になった場合、設備データ管理プログラム１２は表示画面に表示された複数の設備機器の図形のうち編集対象の図形の指定操作を待ち（ステップ７０１）、編集対象の図形がマウスクリック操作によって指定されたならば、当該図形が実体を表す設備機器の図形かを設備連携情報が登録されているか否かによって判定する（ステップ７０２）。設備連携情報が登録されていなければ実体を表す図形であるので、当該図形のレコードに登録されている属性データを読み出し、その属性データの編集（変更、追加登録）を受付け、登録データを更新する（ステップ７０３、７０４）。
設備連携情報が登録されていた場合には実体への連携を表す特有の図形であるので、設備連携情報として登録されている実体を表す設備機器の設備ＩＤにより、当該設備ＩＤのレコードに登録されている設備データを読み出し、その設備データの編集（変更、追加登録）を受付け、登録データを更新する（ステップ７０５、７０６，７０７）。
【００２２】
図８は、管理図面上に配置した設備機器の図形を削除する処理を示すフローチャートである。
設備データベース１３に登録した図形を削除することが必要になった場合、設備データ管理プログラム１２は表示画面に表示された複数の設備機器の図形のうち削除対象の図形の指定操作を待ち（ステップ８０１）、削除対象の図形がマウスクリック操作によって指定されたならば、当該図形が実体を表す設備機器の図形であるかを設備連携情報が登録されているか否かによって判定する（ステップ８０２）。設備連携情報が登録されていなければ実体を表す図形であるので、当該図形のレコードに登録されている設備ＩＤ、属性データなどを全て削除する（ステップ８０３，８０４）。
【００２３】
この後、削除した図形の設備ＩＤを設備連携情報として登録している特有の図形が存在するかを設備データベース１３から検索し（ステップ８０５）、存在した場合には、当該特有の図形のレコードに登録されている設備ＩＤや属性などのデータを全て削除する（ステップ８０６）。
設備連携情報が登録されている特有の図形であった場合、その特有の図形のレコードに登録されている設備ＩＤや属性などのデータを全て削除する（ステップ８０７、８０８）。この場合、連係元の実体に対応する図形の接続端子の「接続済み」の情報については「空き」または「有効」に書き換える。
【００２４】
図９は、管理図面上に配置した設備機器の図形を接続する接続線の結線処理を示すフローチャートである。
設備データベース１３に登録した図形の接続端子同士を接続することが必要になった場合、設備データ管理プログラム１２は表示画面に表示された複数の設備機器の図形のうち結線対象、または接続線削除対象の図形の指定操作を待ち（ステップ９０１）、結線対象または接続線削除対象の図形がマウスクリック操作によって指定されたならば、当該図形が実体を表す設備機器の図形かを設備連携情報が登録されているか否かによって判定する（ステップ９０２）。
設備連携情報が登録されていなければ実体を表す図形であるので、当該図形の接続端子に対する接続線の描画操作または削除操作を待つ。そして、他の設備機器の図形の接続端子との接続線の描画操作が行われたならば、当該接続線の端点位置座標、接続先の情報を設備データベース１３に登録する。
削除操作が行われたならば、接続線の端点位置座標、接続先の情報を設備データベース１３から削除する（ステップ９０３，９０４）。
【００２５】
設備連携情報が登録されている実体への連係を表す特有の図形であった場合（ステップ９０５）、当該特有の図形の接続端子に対する接続線の描画操作または削除操作を待ち、他の設備機器の図形の接続端子との接続線の描画操作が行われたならば、当該接続線の端点位置座標、接続先の情報を当該特有の図形および接続先の図形のレコードに登録する（ステップ９０６）。
この後、設備連携情報として登録されている設備ＩＤの図形のレコードを検索し（ステップ９０７）、その検索レコードに対し、今回接続した接続端子について「接続済み」を登録し、未接続端子については「未接続」または「有効」を登録する（ステップ９０８）。
設備連携情報が登録されている実体への連係を表す特有の図形であり、かつ当該特有の図形の接続端子に対する接続線の削除操作が行われたならば、当該接続線の端点位置座標、接続先の情報を当該特有の図形および接続先の図形のレコードから削除する（ステップ９０６）。
この後、設備連携情報として登録されている設備ＩＤの図形のレコードを検索し（ステップ９０７）、その検索レコードに対し、接続線を削除した接続端子について「接続済み」を「空き」または「有効」に書き換える（ステップ９０８）。
【００２６】
図１０は、設備データベース１３に登録されている設備データにより図２に示したような管理図面を表示する処理を示すフローチャートである。
設備データベース１３に登録した設備データにより管理図面を再現表示する場合、設備データ管理プログラム１２はユーザによる設備管理図の表示指示を待ち、表示指示操作が行われたならば（ステップ１００１）、設備データベース１３から当該管理図面に含まれる設備機器を示す図形の設備データを全て取得する（ステップ１００２）。
そして、それぞれの図形の設備データについて、当該図形は設備管理図面上で実体を表す図形かどうかを設備連係情報が登録されているか否かによって判定する（ステップ１００３）。
設備連携情報が登録されていなければ実体を表す図形であるので、当該図形のレコードに属性データとして登録されている図形属性、図面位置、端子接続先、設備名称といったデータにより、図形属性に対応する形状の図形を図面位置の情報で指定された位置に表示し、かつ接続端子に接続されている接続線を端子接続先の情報と端点座標に従って描画し、その描画した図形の近傍に設備名称を文字表示する（ステップ１００４、１００５、１００６）。
【００２７】
設備連携情報が登録されている実体への連係を表す特有の図形であった場合、当該特有の図形のレコードに登録されている連携元の図形（実体を表す図形）の設備ＩＤに基づき、その設備ＩＤのレコードに設備データとして登録されている図形属性、設備名称を取得し（ステップ１００７、１００８）、図形属性に対応する形状の図形を当該特有の図形のレコードに登録されている図面位置の情報で示される位置に特有の色で表示し、かつ接続端子に接続されている接続線を端子接続先の情報と端点座標に従って描画し、その描画した図形の近傍に、連携元の図形レコードから取得した設備名称を文字表示する（ステップ１００９）。
この後、当該特有の図形のレコードに登録されている連携元の図形（実体を表す図形）の設備ＩＤに基づき、その設備ＩＤのレコードに設備データとして登録されている端子接続先の情報を取得し（ステップ１０１０）、連携元の図形で他の設備機器の図形と接続済みとなっている接続端子を「接続済み」または「無効」を示す特有の色（または網掛けパターン）で表示する（ステップ１０１１）。
【００２８】
以上により設備データベース１３に登録した設備データにより管理図面を再現して表示装置２に表示することができる。
【図面の簡単な説明】
【００２９】
【図１】本発明の実施の形態を示すブロック構成図である。
【図２】設備データ管理プログラム用いて作成される電力系統における管理図面の一例を示す図である。
【図３】管理図新規作成画面の例を示す図である。
【図４】設備データベースに登録される設備データの例を示す図である。
【図５】設備データベースに登録される設備データの他の例を示す図である。
【図６】設備機器の管理図面を新規に作成する処理を示すフローチャートである。
【図７】作成した管理図面上で属性や接続先などを変更することが必要になった設備機器の図形の編集処理を示すフローチャートである。
【図８】管理図面上に配置した設備機器の図形を削除する処理を示すフローチャートである。
【図９】管理図面上に配置した設備機器の図形を接続する接続線の結線処理を示すフローチャートである。
【図１０】設備データベースに登録されている設備データにより管理図面を再現して表示する処理を示すフローチャートである。
【図１１】設備データを表形式の帳票で管理する従来例の説明図である。
【図１２】ＧＵＩを用いて設備データを管理する従来の管理図面の例を示す図である。
【図１３】従来における設備データベースに登録されるデータの例を示す図である。
【図１４】接続線が複数の管理図面にまたがって接続する場合において架空の接続オブジェクトを配置して接続するようにした従来の管理図面の例を示す図である。
【符号の説明】
【００３０】
１    計算機
２    表示装置
３    印刷装置
４    入力装置
１１    記憶装置
１２    設備データ管理プログラム
１３    設備データベース
２０１    設備機器の実体に対応する図形
２１２    設備機器の実体に連携する特有の図形
２０１ａ〜２０１ｃ    接続端子
２１２ａ〜２１２ｃ    接続端子
【図１】
2006338134.tif 000003
【図２】
2006338134.tif 000004
【図３】
2006338134.tif 000005
【図４】
2006338134.tif 000006
【図５】
2006338134.tif 000007
【図６】
2006338134.tif 000008
【図７】
2006338134.tif 000009
【図８】
2006338134.tif 000010
【図９】
2006338134.tif 000011
【図１０】
2006338134.tif 000012
【図１１】
2006338134.tif 000013
【図１２】
2006338134.tif 000014
【図１３】
2006338134.tif 000015
【図１４】
2006338134.tif 000016